(57)【要約】    【課題】  シートの駆動装置の操作部材がシートの外方に突出してシートクッションの外観品質を損なわれないようにすることである。    【手段】  シートクッションＳＣのサイド部を形成するトリムカバーとその外側に配設するフィニッシャとを成形不織布１で一体成形し、その成形不織布１の内側に、電動駆動装置のスイッチ３０、３１を設けると共に、該スイッチ３０、３１に対応する位置の成形不織布１にスイッチ３０、３１の目印１０、１１を設けて、成形不織布１を介してスイッチ３０、３１を操作するようにしたことを特徴とする。  【選択図】        図３
2010012988.tif 000002
【特許請求の範囲】
【請求項１】
シートクッションの側面を構成するトリムカバーのサイド部と、シートクッション側部の外方且つ下方より露出する機構部品をカバーするフィニッシャ部とを、合成樹脂材を含浸させて凹凸状に成形した成形不織布で、一体に成形してなる車両用シートのシートクッションであって、
前記フィニッシャ部の内側に、シートの電動駆動装置操作用スイッチを配設し、該スイッチに対応する部分のフィニッシャ部の外面に、スイッチの目印を表示して、目印を押圧することによりスイッチを操作することを特徴とする車両用シートのシートクッション構造。
【請求項２】
前記目印部分のフィニッシャ部にはスイッチ格納用格納部を設け、スイッチの内方には硬質プレートからなる受板を設けてなる請求項１記載の車両用シートのシートクッション構造。
【請求項３】
前記スイッチにフラットハーネスを連結し、該フラットハーネスを前記フィニッシャ部と受板との間に配設してなる請求項１、２記載の車両用シートのシートクッション構造。
【発明の詳細な説明】
【技術分野】
【０００１】
本発明は自動車用シートなどの車両用シートにおけるシートクッション構造に関する。
【背景技術】
【０００２】
従来の一般的な自動車用シートのシートクッションは、シートクッション自体の外側に、シートクッションと別体の合成樹脂製フィニッシャを取付けて、シートクッションの側方より露出するリクライニングデバイス、スライドレール、リフターなどの機構部品を被覆し、そのフィニッシャに通孔などを開孔し、この通孔を通してリクライニングデバイス、スライドレールなどの操作レバーなどの操作部をフィニッシャの外側に配設している（例えば、特開２００６−８８９４３号公報）。
【０００３】
【特許文献１】特開２００６−８８９４３号公報
【発明の開示】
【発明が解決しようとする課題】
【０００４】
従って、従来のシートクッションはフィニッシャによって機構部品を被覆してシートクッションの外観品質を向上させているが、フィニッシャは合成樹脂で、シートクッションの外面を構成する布などの柔軟部材製トリムカバーに対して別体感が強く、デザイン上の制約を受けやすい。
【０００５】
また、リクライニングデバイスなど機構部品の操作部材はフィニッシャの外側に配設しているため、この操作部材がシートクッションの外方に突出し邪魔になるし、シートクッションのデザイン上好ましいものでない。
【０００６】
そこで、本発明は特に、リクライニングデバイスなどの操作部材がシートクッションの外方に突出することなく、外観品質に優れたシートクッションを提供することを目的とする。
【課題を解決するための手段】
【０００７】
以上の目的を達成するための本発明は、シートクッションの側面を構成するトリムカバーのサイド部と、シートクッション側部の外方且つ下方より露出する機構部品をカバーするフィニッシャ部とを、合成樹脂材を含浸させて凹凸状に成形した成形不織布で、一体に成形してなる車両用シートのシートクッションであって、前記フィニッシャ部の内側に、シートの電動駆動装置操作用スイッチを配設し、該スイッチに対応する部分のフィニッシャ部の外面に、スイッチの目印を表示して、目印を押圧することによりスイッチを操作することを特徴とする構成である。
【０００８】
そして、前記目印部分のフィニッシャ部にはスイッチ格納用格納部を設け、スイッチの内方には硬質プレートからなる受板を設けるようにする。
【０００９】
また、前記スイッチにフラットハーネスを連結し、該フラットハーネスを前記フィニッシャ部と受板との間に配設するようにするのが好ましい。
【発明の効果】
【００１０】
本発明によれば、従来の合成樹脂製フィニッシャを使用しているため、従来のフィニッシャ取付作業が不要となる。加えて、シートクッションのトリムカバーのサイド部とフィニッシャ部とが一体に成形不織布で形成されているため、デザイン上の一体感があり、デザインのバリエーションが期待できる。
【００１１】
加えて、スイッチがフィニッシャ部で隠蔽されシートクッションの外方に突出しないため、更にシートのデザイン上の自由度があり、外観品質に優れたシートクッションを提供できる。
【００１２】
また、スイッチの組付が簡単になるし、スイッチの損傷等を防止できる。
【発明を実施するための最良の形態】
【００１３】
以下、本発明の一実施例を図面に基づいて説明する。
図１は本発明に係る構造の自動車用シートを示し、図中ＳＢは電動リクライニング装置によって傾動するシートバック、ＳＣはシートクッションで、電動によって前後方向にスライドし、また、電動によってその高さを調節できるように構成されている。
【００１４】
以上のシートクッションＳＣの側面を構成するトリムカバーのサイド部とシートクッション側部の外方且つ下方より露出する機構部品（例えばスライドレールなど）をカバーするフィニッシャとを同一体に成形している。
【００１５】
即ち、合成樹脂材を含浸させて凹凸状にプレス、真空などで成形した成形不織布で、従来のトリムカバーのサイド部とフィニッシャを成形し、これをフィニッシャ部１とする。
なお、この成形不織布は、例えば実開平７−１５４４８５号公報に開示されている材質、成形方法によって成形したものである。
【００１６】
このフィニッシャ部１はシートクッションＳＣの表面中央部を構成する従来周知の織物地などからなるトリムカバー１に縫着などで固定されている。
【００１７】
そして、このフィニッシャ部１の内側に、前記電動リクライニング装置、電動スライド装置、電動リフターなどの電動駆動装置操作用のスイッチ３０〜３５が配設され、このスイッチ３０〜３５に対応するフィニッシャ部１の外面にはスイッチの目印部１Ａが表示してある。
【００１８】
図示する各スイッチ３０〜３５はプッシュボタンスイッチで、目印部１Ａの所定の目印１０〜１５を押圧することにより、電動リクライニング装置などが起動する構造である。
【００１９】
図示する目印部１Ａは略Ｌ字状に凹溝１６で成形して、その内部に、シートクッションＳＣの動作方向を示す目印１０〜１５が水滴状に表示してある。
【００２０】
例えば、目印１０は上方移動、同１１は下方移動、同１２は前方移動、同１３は後方移動、同１４はシートバックＳＢを後方に傾動、同１５はシートバックＳＢを前方に傾動する旨を表示している。
【００２１】
そして、図3に示すように、各目印１０〜１５の各部分はその内側にスイッチ３０、３１…を格納できるように外方に膨出するように成形されている。
【００２２】
また、各スイッチ３０…の裏側には、硬質プレートからなる受板４０が設けてあり、各スイッチ３０…の作動性を良好にしている。そして、この受板４０にフィニッシャ部１の前記凹溝１６裏面が接着剤１６Ａで接着されている。
【００２３】
なお、受板４０はシートクッションＳＣのフレーム５側に固定支持され、図４に示すように、各スイッチ３０…に連結してフィニッシャ部１の裏側に接着したフラットハーネス４１をカバーできる大きさに形成してフラットハーネス４１を保護している。図中４２はカップラーを示す。
【００２４】
斯して、乗員が指先で、フィニッシャ部１に設けた所望の目印１０〜１５を押圧すると、フィニッシャ部１を介してスイッチ３０…が入り、電動リクライニング装置などの電動駆動装置が起動して、シートが傾動等する。
【００２５】
以上の図示する目印１０…は、フィニッシャ部１の垂直面に設けているが、フィニッシャ部１の一部を段状に成形し、その水平面に、目印１０…を設けるようにしても良い。
【００２６】
また、目印１０…を表示する部分の成形不織布は、他の部分に対して肉薄状にしたり、或いは柔軟性を良好にしたりして、フィニッシャ１の目印１０…を指先で軽くタッチする程度でスイッチ３０…が入るようにするのが好ましい。
【図面の簡単な説明】
【００２７】
【図１】本発明に係る構造の自動車用シートの斜視図。
【図２】図１のＡ部の拡大図。
【図３】要部の断面図。
【図４】要部の正面図。
【符号の説明】
【００２８】
１…フィニッシャ部、１０、１１、１２、１３、１４…スイッチの目印、３０、３１、３２、３３、３４…スイッチ、４０… 当板。
。
【図１】
2010012988.tif 000003
【図２】
2010012988.tif 000004
【図３】
2010012988.tif 000005
【図４】
2010012988.tif 000006